(57)【要約】      （修正有）【課題】栽培ポットを納めた栽培トレイを簡単かつ確実に収納保持することができ、かつ排水用樋の設置が容易な独立ポット耕栽培用ベンチ並びに栽培ポットを提供する。【解決手段】ベンチ本体２１は下方に向かって開口する断面略コ字型をなし、その上面には長手方向に渡って多数のトレイ保持口２２が設けられ、該ベンチ本体２１下端両側には長手方向に渡って連続して被係止部２３が設けられており、前記栽培トレイ１３をトレイ保持口２２を通して該ベンチ本体２１内に配置したとき、前記栽培トレイ１３のフランジ部１３ａが前記トレイ保持口２２周縁に当接して前記栽培トレイ１３が収納保持されると共に、前記被係止部２３に排水用樋２４を吊り下げる吊下具２５を引っ掛けることで、前記排水用樋２４をベンチ本体２１の下側に吊り下げるようにしたことを特徴とする。【選択図】図６
2011092081.tif 000002
【特許請求の範囲】
【請求項１】
根域を制限した独立培地で１株毎に植物を栽培する栽培ポットを収納保持する独立ポット耕栽培用ベンチであって、
該ベンチ本体に収納保持される栽培ポットは該栽培ポットを収納する収納口周囲にフランジ部を設けた栽培トレイ内に収納されており、
ベンチ本体は下方に向かって開口する断面略コ字型をなし、その上面には長手方向に渡って多数のトレイ保持口が設けられ、該ベンチ本体下端両側には長手方向に渡って連続して被係止部が設けられており、
前記栽培トレイをトレイ保持口を通して該ベンチ本体内に配置したとき、前記栽培トレイのフランジ部が前記トレイ保持口周縁に当接して前記栽培トレイが収納保持されると共に、前記被係止部に排水用樋を吊り下げる吊下具を引っ掛けることで、前記排水用樋をベンチ本体の下側に吊り下げるようにしたことを特徴とする独立ポット耕栽培用ベンチ。
【請求項２】
ベンチ本体下端両側に長手方向に渡って連続して設けた被係止部に地上に立設した支持フレームに繋がる吊り下げワイヤーを引っ掛けることで、ベンチ本体が吊り下げ状態に支持されるようにしたことを特徴とする請求項１記載の独立ポット耕栽培用ベンチ。
【請求項３】
支持フレームからの吊り下げワイヤーの長さを調節可能とすることで、ベンチ本体の高さ位置及びまたは傾斜角度を調節できるようにしたことを特徴とする請求項２記載の独立ポット耕栽培用ベンチ。
【請求項４】
ベンチ本体がスタンドによって地面から立設状態に支持されるようにしたことを特徴とする請求項１記載の独立ポット耕栽培用ベンチ。
【請求項５】
請求項１〜４のいずれかに記載の独立ポット耕栽培用ベンチによって収納保持される栽培ポットであって、不織布製ポットに培地を入れることで根域を制限した独立培地が構成されており、収納口周囲にフランジ部を設けた栽培トレイ内に収納されていることを特徴とする栽培ポット。
【発明の詳細な説明】
【技術分野】
【０００１】
本発明は、栽培ポットを納めた栽培トレイを簡単かつ確実に収納保持することができ、かつ排水用樋の設置が容易な独立ポット耕栽培用ベンチ並びに栽培ポットに関する。
【背景技術】
【０００２】
従来より、土壌病害の進入、伝搬を抑制し、作業姿勢の改善を図ることができる栽培システムとして、ベンチ上で１株毎に根域、給液及び排液を独立させたポットで栽培する少量培地の栽培システムを利用した独立ポット耕栽培が行われている（非特許文献１参照）。
【０００３】
この栽培システムは、栽培ベンチ、培養液管理装置、給液制御装置から構成される。培養液は、植物の種類及び育成過程に応じた処方で濃度管理を要するため、培養液管理装置には、濃縮液タンク、培養液タンク、液肥混入器などが必要とされる。培養液は、給液制御装置により栽培ベンチに供給される。１株当たりの培地量が大凡１．２ｌと少ないため、少量多回数の給液が行われる。また、給液制御装置により、無駄な給液及び培地の過湿を防ぐため、排液量を探知し、その排液量に応じて給液を自動的に止めるという制御が行われる。また、排液は、ハウス内の湿度が高くならないようにするため、回収され、ハウス外へ排出される。
【０００４】
上記独立ポット耕栽培に用いる栽培ベンチ１は、図１４に示すように、培地を充填したポット２を入れた栽培トレイ３を用い、この栽培トレイ３上縁の径に対応する間隔（おおよそ２０ｃｍ）に水平状に２本の丸パイプ４、４を配置し、次いで、水平状に配置した２本の丸パイプ４、４に跨るように丸パイプ５、５を組み付けると共に２本の丸パイプ４、４の長手方向に所定間隔に垂直状に丸パイプ６、６を（２本の丸パイプ４、４の高さがおおよそ５０ｃｍとなる程度に）組み付けることで製作される。
【０００５】
作製された栽培ベンチ１の水平状の２本の丸パイプ４、４間に栽培トレイ３が架けられ、栽培トレイ３の下側には、排水用樋７が前記２本の丸パイプ４、４にワイヤー８で吊り下げられるようになっている。
【０００６】
栽培ベンチ１の水平状に配された２本の丸パイプ４、４間には、培養液を供給する給液管（図示しない）が配され、該２本の丸パイプ４、４間に架けられた各栽培トレイ３に培養液が点滴チューブ（図示しない）を介して給液されるようになっている。
【先行技術文献】
【非特許文献】
【０００７】
【非特許文献１】トマトの独立ポット耕栽培システムの開発        ２００８年９月発行  園芸学研究  Ｖｏｌ ７  別冊２  ｐ５２６〜
【発明の概要】
【発明が解決しようとする課題】
【０００８】
上述の独立ポット耕栽培システムに用いる栽培ベンチ１にあっては、栽培ベンチ１の水平状の２本の丸パイプ４、４間に栽培トレイ３を架けることで該栽培トレイ３の設置ができ、設置作業が簡単で手間がかからないというメリットがある反面、栽培トレイ３は２本の丸パイプ４、４上に乗っかっているだけであることから不安定であり、また、栽培ベンチ１を製作する際に、栽培トレイ３上縁の径に対応する間隔よりも２本の丸パイプ４、４の間隔が広くなってしまうことがあり、この場合、栽培トレイ３が架けられないなどの不具合が生じることもあった。
【０００９】
本発明は、独立ポット耕栽培システムに用いられている栽培ベンチをさらに改良したものであり、栽培ポットを納めた栽培トレイを簡単かつ確実に収納保持することができ、かつ排水用樋の設置が容易な独立ポット耕栽培用ベンチ並びに栽培ポットを提供することを目的とするものである。
【課題を解決するための手段】
【００１０】
上記目的を達成するため、請求項１記載の発明は、根域を制限した独立培地で１株毎に植物を栽培する栽培ポットを収納保持する独立ポット耕栽培用ベンチであって、
該ベンチ本体に収納保持される栽培ポットは該栽培ポットを収納する収納口周囲にフランジ部を設けた栽培トレイ内に収納されており、
前記ベンチ本体は下方に向かって開口する断面略コ字型をなし、その上面には長手方向に渡って多数のトレイ保持口が設けられ、該ベンチ本体下端両側には長手方向に渡って連続して被係止部が設けられており、
前記栽培トレイをトレイ保持口を通して該ベンチ本体内に配置したとき、前記栽培トレイのフランジ部が前記トレイ保持口周縁に当接して前記栽培トレイが収納保持されると共に、前記被係止部に排水用樋を吊り下げる吊下具を引っ掛けることで、前記排水用樋をベンチ本体の下側に吊り下げるようにしたことを特徴とする独立ポット耕栽培用ベンチをその要旨とした。
【００１１】
請求項２記載の発明は、ベンチ本体下端両側に長手方向に渡って連続して設けた被係止部に地上に立設した支持フレームに繋がる吊り下げワイヤーを引っ掛けることで、ベンチ本体が吊り下げ状態に支持されるようにしたことを特徴とする独立ポット耕栽培用ベンチをその要旨とした。
【００１２】
請求項３記載の発明は、支持フレームからの吊り下げワイヤーの長さを調節可能とすることで、ベンチ本体の高さ位置を調節できるようにしたことを特徴とする独立ポット耕栽培用ベンチをその要旨とした。
【００１３】
請求項４記載の発明は、ベンチ本体がスタンドによって地面から立設状態に支持されるようにしたことを特徴とする独立ポット耕栽培用ベンチをその要旨とした。
【００１４】
請求項５記載の発明は、請求項１〜４のいずれかに記載の独立ポット耕栽培用ベンチによって収納保持される栽培ポットであって、不織布製ポットに培地を入れることで根域を制限した独立培地が構成されており、収納口周囲にフランジ部を設けた栽培トレイ内に収納されていることを特徴とする栽培ポットをその要旨とした。
【発明の効果】
【００１５】
本発明の独立ポット耕栽培用ベンチにあっては、ベンチ本体に収納保持される栽培ポットが該栽培ポットを収納する収納口周囲にフランジ部を設けた栽培トレイ内に収納されており、ベンチ本体は下方に向かって開口する断面略コ字型をなし、その上面に長手方向に渡って多数のトレイ保持口が設けられており、
前記栽培トレイをトレイ保持口を通して該ベンチ本体内に配置したとき、前記栽培トレイのフランジ部が前記トレイ保持口周縁に当接して前記栽培トレイが収納保持されるようにしたので、栽培ポットを納めた栽培トレイを簡単かつ確実に収納保持することができる。
【００１６】
また、本発明の独立ポット耕栽培用ベンチにあっては、該ベンチ本体下端両側に長手方向に渡って連続して被係止部が設けられており、前記被係止部に排水用樋を吊り下げる吊下具を引っ掛けることで、前記排水用樋をベンチ本体の下側に吊り下げるようにしたので、排水用樋の設置がきわめて容易である。被係止部がベンチ本体下端両側に長手方向に渡って連続して設けられているので、ベンチ本体の長手方向に渡るいずれの箇所にも排水用樋の設置が可能である。
【００１７】
また、本発明の独立ポット耕栽培用ベンチは、ベンチ本体下端両側に長手方向に渡って連続して設けた被係止部を利用して、地上に立設した支持フレームに繋がる吊り下げワイヤーを前記被係止部に引っ掛けることで、該ベンチ本体が吊り下げ状態に支持されるようにすることができ、収穫時等の作業者の十分な足場を確保することができる。また、支持フレームからの吊り下げワイヤーを手動により或いはモーターなどによって巻き取り或いは巻き出し可能として長さ調節可能とすることで、ベンチ本体の高さ位置を調節することもでき、この場合、収穫作業等で腰を屈めたり、梯子を架けたりする必要がなく、作業効率を一層高めることができる。
【００１８】
また、本発明の独立ポット耕栽培用ベンチは、ベンチ本体がスタンドによって地面から立設状態に支持されるようにすることもできる。この場合、長さ調節可能なスタンドを使用すれば、収穫作業時における作業位置をスタンドに長さ調節可能な範囲で調節することができ、腰を屈めたりする必要がなく、作業効率を一層高めることができる。
【００１９】
本発明の栽培ポットにあっては、不織布製ポットに培地を入れることで根域を制限した独立培地が構成されており、収納口周囲にフランジ部を設けた栽培トレイ内に収納されていることから、請求項１〜４のいずれかに記載の独立ポット耕栽培用ベンチに適用し、栽培トレイをベンチ本体のトレイ保持口を通して該ベンチ本体内に配置したとき、前記栽培トレイのフランジ部が前記トレイ保持口周縁に当接して前記栽培トレイが収納保持されるので、該栽培ポットが簡単かつ確実に収納保持される。また、本発明の栽培ポットには、不織布製ポットに予め固化培地を入れておかれたものを用いることもでき、この場合、培地設置作業がより簡略化できるというメリットがある。
【図面の簡単な説明】
【００２０】
【図１】本発明の独立ポット耕栽培用ベンチの一例を示し、地上に立設した支持フレームに繋がる吊り下げワイヤーを引っ掛けることで、ベンチ本体が吊り下げ状態に支持されている状態を示した正面図。
【図２】同じく側面図。
【図３】図１に示す独立ポット耕栽培用ベンチによって収納保持される栽培ポットの拡大斜視図。
【図４】図１に示す独立ポット耕栽培用ベンチの要部を示す拡大正面図。
【図５】図１に示す独立ポット耕栽培用ベンチの要部を示す拡大平面図。
【図６】図１に示す独立ポット耕栽培用ベンチの下端両側に設けた被係止部に排水用樋を吊り下げる吊下具を引っ掛けた状態を示す要部拡大断面図。
【図７】図１に示す独立ポット耕栽培用ベンチの下端両側に設けた被係止部に吊り下げワイヤーを引っ掛けた状態を示す要部拡大断面図。
【図８】本発明の独立ポット耕栽培用ベンチの別例を示し、スタンドによってベンチ本体が地面から立設状態に支持されている状態を示す正面図。
【図９】同じく側面図。
【図１０】図８に示す独立ポット耕栽培用ベンチの要部を示す拡大正面図。
【図１１】図８に示す独立ポット耕栽培用ベンチの要部拡大断面図。
【図１２】スタンドによってベンチ本体が地面から立設状態に支持されるようにした別例を示す拡大正面図。
【図１３】同じく要部拡大断面図。
【図１４】従来の独立ポット耕栽培用ベンチを示す斜視図。
【発明を実施するための形態】
【００２１】
以下、図１〜図１３に従って、本発明の独立ポット耕栽培用ベンチ並びに栽培ポットを更に詳しく説明する。本発明の独立ポット耕栽培用ベンチ（以下、単にベンチという）は、ベンチ上で１株毎に根域、給液及び排液を独立させたポットで栽培する少量培地の栽培システムを利用した独立ポット耕栽培（以下、独立ポット耕という）に用いるものである。
【００２２】
本発明のベンチを用いる独立ポット耕は、ベンチの他に、培養液管理装置、給液制御装置から構成されるシステムを利用するものである。培養液は、植物の種類に応じた処方で濃度管理を必要とするため、培養液管理装置には、例えば濃縮液タンク、培養液タンク、希釈倍率が設定可能な液肥混入器、携帯用ＥＣメーターなどが設備されている。給液制御装置によって培養液がベンチに供給されるのであるが、１株当たりの培地量が大凡０．５〜２．０リットルと少ないため、少量多回数の給液が所定時間毎（例えば１５分〜１８０分毎）に行われるようになっている。尚、給液間隔及び給液量は、植物の種類や培地量の多少によって異なるため、これらを勘案して適宜決定するとよい。また給液制御装置により、無駄な給液及び培地の過湿を防ぐため、排液量を探知して、その排液量に応じて給液を自動的に止めるよう制御されている。また、少量培地のために、何らかの原因で給液が止まった場合、季節によっては植物に障害が生じる恐れがある。このため、給液が止まった場合、警報を鳴らしたり、別の給液手段によって給液ができるようにするのが望ましい。排液は、ハウス内の湿度が高くならないようにするため、回収され、ハウス外へ排出されるか、殺菌、濾過後給液タンクに戻されるようになっている。
【００２３】
上記独立ポット耕に用いる本発明のベンチは、根域を制限した独立培地で１株毎に植物を栽培する栽培ポットを収納保持するものである。本発明の栽培ポット１０は、図３に示すように、ポット１１に培地１２を入れることで根域を制限した独立培地が構成されている。培地１２を構成する培地としては、無肥料培地、有肥料培地、有機培地、無機培地、或いは固化培地、非固化培地など特に限定されない。図３に示す例では、培地として有肥料の有機培地を用い、この培地を培地量が０．５〜２．０リットルの範囲のサイコロ状に固化した固化培地１２を用い、この固化培地１２に１株のトマトAを植え付けた。
【００２４】
培地１２を入れるポット１１としては、防根性及び排水性を有するものであれば特に限定されないが、防根性及び排水性が良好であり、かつ成形が容易であることから不織布製ポットが好ましい。図３に示す例では、固化培地１２の形状及び大きさに対応して四角状底面を有する袋状に成形した不織布製ポットを用いた。尚、図示の例では、サイコロ状に固化した固化培地１２を用い、これを四角状底面を有する袋状に成形した不織布製ポット１１に入れた栽培ポット１０を採用したが、これに限らず、例えば半球状、略円錐状、円筒状、長板状などの形状のポットとし、これに培地を入れるなど、栽培ポット１０を構成するポット１１の形状、大きさは、任意であり、栽培する植物の種類や大きさに合わせて適宜決定するとよい。
【００２５】
上記のとおりポット１１内に培地１２を入れた栽培ポット１０が図３に示すように栽培トレイ１３内に収納されている。栽培トレイ１３は、栽培ポット１０の外形に対応して設けたプラスチック製の籠であり、栽培ポット１０を収納する収納口周囲にはフランジ部１３ａが設けられている。尚、栽培ポット１０を納める栽培トレイ１３についても、半球状、略円錐状、円筒状、長板状など、栽培ポット１０の形状、大きさに合わせて自由に設定できる。
【００２６】
図１〜図７に示すように本発明のベンチは、栽培ポット１０が栽培トレイ１３内に収納された状態でベンチ本体２１内に配置されるようになっているのである。ベンチ本体２１は、下方に向かって開口する断面略コ字型をなす板状体であり、そのような板状体は、例えば鉄、アルミなどの金属板やワイヤーメッシュを折り加工することで、或いはプラスチックを押出成形することで作製することができる。尚、ベンチ本体２１には、軽量化を目的として多数の孔を設けた穴あきの金属板を折り加工したものを用いることもできる。
【００２７】
このベンチ本体２１の上面には長手方向に渡って多数のトレイ保持口２２が設けられている。図５に示すようにトレイ保持口２２は栽培ポット１０を納めた栽培トレイ１３の形状に対応して四角状をなしており、フランジ部１３ａよりも小さく、かつ栽培トレイ１３が該トレイ保持口２２を通してベンチ本体２１内に収納される大きさに設けられている。このため、栽培トレイ１３をトレイ保持口２２を通して該ベンチ本体２１内に配置したとき、前記栽培トレイ１３のフランジ部１３ａが前記トレイ保持口２２周縁に当接し、これにより前記栽培トレイ１３が収納保持されるようになっている。尚、トレイ保持口２２の大きさ、形状は任意であり、栽培ポット１０を納める栽培トレイ１３の形状、大きさに合わせて○状、四角状、長方状など適宜決定するとよい。
【００２８】
ベンチ本体２１の下端両側には長手方向に渡って連続して被係止部２３が設けられている。図４、図６及び図７に示すように、被係止部２３は、ベンチ本体２１の下端両側に該ベンチ本体２１の内方に向かって設けた略Ｌ型をなす折り曲げ片である。この被係止部２３はベンチ本体２１と別体に設けてもよいが、図示の例では、該ベンチ本体２１の製作時に、例えば鉄、アルミなどの金属板を折り加工することで、或いはプラスチックを押し出し成形することで、一体に作製した。
【００２９】
この被係止部を利用して排水用樋を吊り下げたり、地上に立設した支持フレームから吊り下げたりすることができる。図４及び図６には被係止部２３を利用して排水用樋２４を吊り下げた例が示されている。図４及び図６に示す例では、ベンチ本体２１の長さに対応する長さを有する排水用樋２４を内包し、上端にベンチ本体２１の被係止部２３に掛着するフック部２５ａを有する吊下具２５を用い、この吊下具２５の各上端に設けたフック部２５ａをベンチ本体２１の被係止部２３に引っ掛けることで、前記排水用樋２４をベンチ本体２３の下側に吊り下げている。
【００３０】
被係止部２３はベンチ本体２３下端両側に長手方向に渡って連続して設けられているので、排水用樋２４の設置に際し、該ベンチ本体２１の長手方向に渡るいずれの箇所にも設置が可能であるという利点がある。また、その吊り下げ作業もベンチ本体２３下端両側に長手方向に渡って連続して設けられている被係止部２３に排水用樋２４を内包する吊下具２５のフック部２５ａを引っ掛けるという簡単な操作で行うことができ、排水用樋の設置がきわめて容易である。
【００３１】
図１、図２、図４及び図７は、ベンチ本体２１下端両側に長手方向に渡って連続して設けた被係止部２３を利用して、地上に立設した支持フレーム２６からベンチ本体２１を吊り下げた例を示すものである。図１、図２、図４及び図７に示すように、地上に立設した支持フレーム２６には、所定の間隔に吊り下げワイヤー２７が繋がっており、この吊り下げワイヤー２７の先端に設けたフック部２７ａをベンチ本体２１下端両側に長手方向に渡って連続して設けた被係止部２３に引っ掛けることで、該ベンチ本体２１が吊り下げ状態に支持されるようになっている。また、被係止部２３がベンチ本体２１下端両側に長手方向に渡って連続して設けられていることから、ベンチ本体２１を吊り下げ作業に際し、該ベンチ本体２１の長手方向に渡るいずれの箇所にも吊り下げワイヤー２７先端のフック部２７ａを引っ掛けることができ、ワイヤー２７の取り付け位置を選ばないという利点がある。
【００３２】
地上に立設した支持フレーム２６に繋がる吊り下げワイヤー２７は、手動により或いはモーターなどによって巻き取り或いは巻き出し可能として長さ調節可能とすることができる。この場合、ベンチ本体２１の高さ位置を適宜調節することができ、このため、収穫作業等で腰を屈めたり、梯子を架けたりする必要がなく、作業効率を一層高めることができる。
【００３３】
また、図４、図６及び図７に示すように、ベンチ本体２１の一方下端側には培養液を供給する給液管２８が長手方向に渡って配されており、この給液管２８に所定間隔に取り付けた点滴チューブ２９を介して培養液が栽培トレイ１３内に収納された栽培ポット１０に給液されるようになっている。尚、図示の例では、ベンチ本体の一方下端側に給液管を配したが、ベンチ本体上面に配置することもできる。
【００３４】
次に、本発明のベンチの別例を図８〜図１３に従って説明する。図８−図１３に示すベンチは、図１〜図７に示す地上に立設した支持フレーム２６に繋がる吊り下げワイヤー２７でベンチ本体２１を支持フレーム２６から吊り下げるのに代えて、スタンド３０によってベンチ本体２１を地面から立設状態に支持した例を示すものである。図８−図１３に示すベンチは、支持フレームを使用して構築された大規模なハウスに比べて、狭小なハウスに好ましく用いることができるものである。尚、この例では、支持フレーム２６からの吊り下げワイヤー２７に代えてスタンド３０を用いた以外、図１〜図７に示す形態と同じであるため、ここでの説明は割愛する。尚、スタンドは、ベンチ本体を地面から立設状態に支持するものであれば、その構造、材質、形状などは自由であり、図示のものに限定されるものではない。
【００３５】
図１０及び図１１に示すスタンド３０は所定長さ（たとえば４０〜１００ｃｍ）を有する鉄棒からなり、ベンチ本体２１両側上面にボルト締めにより固定される取付具３１を用いて取り付けられている。取付具３１はベンチ本体２１両側上面にボルト締めにより固定される固定部３１ａと、固定部３１ａから延びる挟持部３１ｂと、スタンド３０上端を鋏んで前記挟持部３１ｂに当接し、ボルト締めにより固定される挟持板３１ｃとからなるものである。
【００３６】
このスタンド３０は、図１０及び図１１に示す例のように、スタンド３０下端に螺子溝を形成し、これに螺合する螺子溝を形成した脚部３２に螺着することにより、スタンド３０の長さを調節可能としたものである。このようなスタンドを使用すれば、収穫作業時における作業位置をスタンドに長さ調節可能な範囲で調節することができ、腰を屈めたりする必要がなく、作業効率を一層高めることができる。また、脚部３２地面側は、地面に当接する当接プレート３３に回動可能に枢着されており、地面が傾斜していても、垂直状にスタンド３０を立設できるようになっている。
【００３７】
図１２−図１３に示すベンチは、地面に設置される基板４１と、基板４１上に固定され、所定間隔、少なくともベンチ本体２１の幅よりも長い間隔に立設される一対の螺子棒からなるスタンド４２、４２と、各スタンド４２、４２上端部分に跨るように所定高さ（例えば４０〜１００ｃｍ）にナット４４で止め付けて固定される支持板４３とからなるスタンド４０を用い、このスタンド４０をベンチ本体２１の長さ方向に所定間隔を置いて配置し、それらのスタンド４０の支持板４３上面にベンチ本体２１を載置することで、該ベンチ本体２１が地面から立設状態に支持されるようにしたものである。
【００３８】
尚、本発明のベンチ及び栽培ポットは、図面に示したものに限定されるものではなく、特許請求の範囲に記載した範囲で自由に変更して使用することができる。
【符号の説明】
【００３９】
１０・・・栽培ポット
１１・・・ポット
１２・・・培地
１３・・・栽培トレイ
１３ａ・・・フランジ部
１２・・・ベンチ本体
２２・・・トレイ保持口
２３・・・被係止部
２４・・・排水用樋
２５・・・吊下具
２５ａ・・・フック部
２６・・・支持フレーム
２７・・・吊り下げワイヤー
２７ａ・・・フック部
２８・・・給液管
２９・・・点滴チューブ
３０、４０・・・スタンド
【図１】
2011092081.tif 000003
【図２】
2011092081.tif 000004
【図３】
2011092081.tif 000005
【図４】
2011092081.tif 000006
【図５】
2011092081.tif 000007
【図６】
2011092081.tif 000008
【図７】
2011092081.tif 000009
【図８】
2011092081.tif 000010
【図９】
2011092081.tif 000011
【図１０】
2011092081.tif 000012
【図１１】
2011092081.tif 000013
【図１２】
2011092081.tif 000014
【図１３】
2011092081.tif 000015
【図１４】
2011092081.tif 000016